(57)【要約】【課題】高さの高い貯蔵物を立てた状態で収納可能としながら、貯蔵空間を有効利用できるようにする。【解決手段】冷蔵庫本体５に設けられる貯蔵室７と、貯蔵室７の左右方向の長さの一部に取り外し可能に設けられる棚部材３５と、貯蔵室７の内壁に設けられ、棚部材３５を支持する下リブ３１と、を有する。棚部材３５は、屈曲部を介して互いに屈曲形成される棚部３７及び脚部３９，４１を備える。棚部材３５は、棚部３７が下リブ３１に支持された状態で、棚面３７ａに貯蔵物を載置可能かつ、脚部３９，４１の端部が貯蔵室７の底面７ｂに当接可能な第１の姿勢と、第１の姿勢での貯蔵物を載置可能な載置面となる棚面３７ａ及び脚部３９，４１の両方が、貯蔵室７の内壁にそれぞれ当接する第２の姿勢と、のいずれかの姿勢で、貯蔵室７内に設置される。【選択図】図９
2019143829.tif 000002
【特許請求の範囲】
【請求項１】
冷蔵庫本体に設けられる貯蔵室と、
前記貯蔵室の左右方向の長さの一部に取り外し可能に設けられる棚部材と、
前記貯蔵室の内壁に設けられ、前記棚部材を支持する支持部と、を有し、
前記棚部材は、屈曲部を介して互いに屈曲形成される第１の部分及び第２の部分を備え、
前記棚部材は、前記第１の部分と前記第２の部分とのいずれか一方の端部が前記支持部に支持された状態で、該いずれか一方に貯蔵物を載置可能かつ、いずれか他方の端部が前記貯蔵室の底面に当接可能な第１の姿勢と、前記第１の姿勢での前記いずれか一方の、貯蔵物を載置可能な載置面及び前記いずれか他方が、前記貯蔵室の内壁にそれぞれ当接する第２の姿勢と、のいずれかの姿勢で、前記貯蔵室内に設置されることを特徴とする冷蔵庫。
【請求項２】
前記貯蔵室の外部の前記冷蔵庫本体の後方下部に形成され、圧縮機が収容される機械室と、
前記機械室に対応して前記貯蔵室の前方に膨出する前記冷蔵庫本体の膨出部と、を有し、
前記棚部材は、前記膨出部の前方に設置され、前記第１の姿勢では、前記膨出部の上面の延長上に、前記いずれか一方の上面が位置していることを特徴とする請求項１に記載の冷蔵庫。
【請求項３】
前記第１の姿勢での前記棚部材は、前記膨出部の前面に当接した状態で、前記いずれか一方の前記膨出部側の縁部と、前記膨出部との間に隙間が形成されていることを特徴とする請求項２に記載の冷蔵庫。
【請求項４】
前記隙間は、前記膨出部の前面と上面との境界部の角部に形成された傾斜面部によって形成されることを特徴とする請求項３に記載の冷蔵庫。
【請求項５】
前記第１の部分と前記第２の部分との前記いずれか他方は、相互間に間隙を有する複数の脚部を備えていることを特徴とする請求項１ないし４のいずれか１項に記載の冷蔵庫。
【請求項６】
前記棚部材は、前記第１の部分と前記第２の部分との少なくともいずれか一方に貫通孔が形成されていることを特徴とする請求項１ないし５のいずれか１項に記載の冷蔵庫。
【請求項７】
前記棚部材は、前記貯蔵室の内壁面を構成する部材よりも熱伝導率の高い部材で構成されていることを特徴とする請求項１ないし６のいずれか１項に記載の冷蔵庫。
【発明の詳細な説明】
【技術分野】
【０００１】
本発明は、冷蔵庫、特にホテルや病院等の部屋に設置される小型の冷蔵庫に関する。
【背景技術】
【０００２】
ホテルや病院向けの小型の冷蔵庫は、一般家庭用の冷蔵庫に比較して貯蔵空間が極めて小さい。小さい貯蔵空間には貯蔵物を整理してより効率よく収納することが要求される。
【先行技術文献】
【特許文献】
【０００３】
【特許文献１】特開２００６−１３３２８１号公報
【発明の概要】
【発明が解決しようとする課題】
【０００４】
小型の冷蔵庫において、貯蔵室内の上下方向の適宜位置に、平板状の棚を左右方向の全長にわたり取り付けることで、貯蔵空間を有効利用することがある。しかし、貯蔵物として、高さの高い例えば２Ｌ入りのペットボトルなどを立てた状態で収納する際には、棚が邪魔となって立てた状態での収納が困難となる。棚を外せば、高さの高い貯蔵物を立てた状態で収納できるが、棚がないために貯蔵空間を有効利用することができない。
【０００５】
そこで本発明は、高さの高い貯蔵物を立てた状態で収納可能としながら、貯蔵空間を有効利用できるようにすることを目的としている。
【課題を解決するための手段】
【０００６】
本発明の実施の形態の冷蔵庫は、冷蔵庫本体に設けられる貯蔵室と、前記貯蔵室の左右方向の長さの一部に取り外し可能に設けられる棚部材と、前記貯蔵室の内壁に設けられ、前記棚部材を支持する支持部と、を有し、前記棚部材は、屈曲部を介して互いに屈曲形成される第１の部分及び第２の部分を備え、前記棚部材は、前記第１の部分と前記第２の部分とのいずれか一方の端部が前記支持部に支持された状態で、該いずれか一方に貯蔵物を載置可能かつ、いずれか他方の端部が前記貯蔵室の底面に当接可能な第１の姿勢と、前記第１の姿勢での前記いずれか一方の、貯蔵物を載置可能な載置面及び前記いずれか他方が、前記貯蔵室の内壁にそれぞれ当接する第２の姿勢と、のいずれかの姿勢で、前記貯蔵室内に設置される
【図面の簡単な説明】
【０００７】
【図１】本発明の実施形態を示す冷蔵庫の正面図である。
【図２】図１の冷蔵庫の扉を省略した内部構造を示す正面図である。
【図３】図１の冷蔵庫の扉を省略した内部構造を示す斜視図である。
【図４】図１の冷蔵庫の上壁を省略した貯蔵室内の内部構造を示す平面図である。
【図５】図２に扉を加えた状態のＡ−Ａ断面図である。
【図６】図１の冷蔵庫に適用される棚部材の不使用状態での斜視図である。
【図７】図１の冷蔵庫に適用される棚部材の使用状態での斜視図である。
【図８】図２の不使用状態の棚部材を使用状態とした場合の冷蔵庫の正面図である。
【図９】図３の不使用状態の棚部材を使用状態とした場合の冷蔵庫の斜視図である。
【図１０】図４の不使用状態の棚部材を使用状態とした場合の冷蔵庫の平面図である。
【図１１】図２に対して貯蔵物を収納した状態を示す正面図である。
【図１２】図３に対して貯蔵物を収納した状態を示す斜視図である。
【図１３】図４に対して貯蔵物を収納した状態を示す平面図である。
【図１４】図８に対して貯蔵物を収納した状態を示す正面図である。
【図１５】図９に対して貯蔵物を収納した状態を示す斜視図である。
【図１６】図１０に対して貯蔵物を収納した状態を示す平面図である。
【発明を実施するための形態】
【０００８】
以下、本発明の実施の形態を図面に基づき説明する。なお、以下の説明において、冷蔵庫１における「左右方向」は、図１に示すように冷蔵庫１を正面から見たときの左右方向で、「前後方向」は、冷蔵庫１の前面側を前、後面側（奥側）を後とした前後方向である。
【０００９】
冷蔵庫１は、例えばホテルや病院などの部屋に設置される小型の冷蔵庫である。図２〜図４は、図１の冷蔵庫１の前面に設けてある扉３を省略した内部構造を示している。冷蔵庫１は、冷蔵庫本体５を備え、冷蔵庫本体５の内部に貯蔵室７が形成されている。冷蔵庫本体５は、外側板からなる外箱と、内側板からなる内箱とを有し、外箱と内箱との間に断熱材を配置した断熱構造体である。扉３も断熱構造体である。
【００１０】
扉３は、図５に示すように、全体として板状であり、貯蔵室７側の内面３ａには、厚さの薄い貯蔵物を収納する貯蔵物収納空間としての薄板形状のポケット４を備えている。ポケット４は、薄板状の空間形成部材としてのポケット部材６によって形成される。ポケット部材６は、下端及び左右両側縁が内面３ａの突起部３ｂに固定され、ポケット４は上端部に開口部４ａを備えている。開口部４ａは、貯蔵室７の上下方向ほぼ中央に位置しているが、貯蔵室７の上下方向中央より上方あるいは下方でもよい。開口部４ａから、厚さの薄い例えば袋入りのおつまみや、病院であれば薬や湿布剤を収納する。ポケット部材６（ポケット４）は、扉３の左右方向のほぼ全域にわたり設けてもよく、一部に設けてもよい。ポケット部材６（ポケット４）は、左右方向あるいは上下方向に複数設けてもよい。
【００１１】
貯蔵室７は、冷蔵庫１の前面側に開口部７ａが形成され、開口部７ａは扉３によって開閉される。扉３は、例えば図１中で右側端部の図示しないヒンジを介して左右に開閉する。冷蔵庫本体５は、上壁５ａと、下壁５ｂと、左側壁５ｃと、右側壁５ｄと、後壁５ｅとを備えており、これら各壁に囲まれた内側に貯蔵室７が形成される。
【００１２】
貯蔵室７の上方には、隔壁９を介して冷却器１１が設けられている。隔壁９は、図５に示すように、前方から後方に向けて下方となるよう傾斜しており、冷却器１１側から流れ落ちる結露水を受けた後、受皿１３及び配管１５を介して貯蔵室７の外部に排出する。冷却器１１は、図２、図３に示すように、上壁５ａ及び右側壁５ｄのそれぞれの内面に支持される。
【００１３】
図５に示すように、冷却器１１は、後方及び前方に後方冷気放出口１１ａ及び前方冷気放出口１１ｂをそれぞれ備えている。後方冷気放出口１１ａは、後壁５ｅの近傍に位置している。後方冷気放出口１１ａから放出された冷気は、矢印Ｐで示すように、後壁５ｅの内面に沿って貯蔵室７の下方に向けて流れる。
【００１４】
前方冷気放出口１１ｂは、貯蔵室７の扉３側で扉３近傍に位置している。前方冷気放出口１１ｂから放出された冷気は、矢印Ｑで示すように、扉３の内面３ａに沿って下方に向けて流れ、開口部４ａからポケット４内に一部が流入し、他は貯蔵室７内に流れる。したがって、扉３の内面３ａは、前方冷気放出口１１ｂから放出される冷気が流れる冷気流路面を備えている。
【００１５】
このように冷蔵庫１は、冷却器１１からの冷気を自然対流によって循環させる直冷式（自然対流式）である。なお、内面３ａは、後述するポケット部材６の貯蔵室７側の面を含むものとする。ポケット部材６は、貯蔵室７の内壁面を形成する部材である樹脂製の内箱よりも熱伝導率の高い材料、例えばアルミニウム等の金属で構成されている。このため、ポケット部材６は冷却板として機能する。
【００１６】
ここでは、隔壁９の下方の空間が貯蔵室７となる。図５に示すように、冷蔵庫本体５は、後壁５ｅの下部において、前方（図５中で左側）に向けて膨出する膨出部１７が形成されている。膨出部１７は、下壁５ｂの後端から立ち上がる縦壁１７ａと、縦壁１７ａの上端から後方に向けて屈曲する水平な横壁１７ｂとを備える。
【００１７】
貯蔵室７は、膨出部１７の上方に形成される後方貯蔵室７Ｒと、後方貯蔵室７Ｒ及び膨出部１７の前方に形成される前方貯蔵室７Ｆとで構成されている。前方貯蔵室Ｆは、図５のように閉じた状態の扉３の内面３ａと、膨出部１７及び後方貯蔵室７Ｒの前面との間に形成される縦長のほぼ直方体形状である。
【００１８】
縦壁１７ａと横壁１７ｂとに囲まれた、冷蔵庫本体５の下部後方の外側の領域は、機械室１９を構成しており、機械室１９に圧縮機２１を配置している。圧縮機２１は、下壁５ｂの下面及び機械室１９を下方から覆っている底板２３の上に固定している。圧縮機２１で圧縮した冷媒は、機械室１９内に設けた図示しない凝縮器を経て、前述した冷却器１１に送られる。圧縮機２１、凝縮器及び冷却器１１等は図示しない冷媒配管で接続される。
【００１９】
横壁１７ｂの上方における後壁５ｅの左右方向中央には、前方に向けて突出する突出部２５が形成されている。突出部２５の裏側の空間に、図５に示す配管１５が配置される。図２に示すように、左右方向中央より右側において、縦壁１７ａと横壁１７ｂとの境界部分の角部には、傾斜面部２７が形成されている。傾斜面部２７は、突出部２５の右側縁部付近と右側壁５ｄとの間に、複数（ここでは３箇所）設けてある。
【００２０】
図２、図３に示すように、右側壁５ｄの貯蔵室７側の内面には、前後方向に延在する上リブ２９が形成されている。上リブ２９は、横壁１７ｂの上面において後壁５ｅから開口部７ａ付近まで形成されている。上リブ２９の下方には、前後方向に延在する支持部としての下リブ３１が形成されている。下リブ３１は、縦壁１７ａから開口部７ａ付近まで形成され、下リブ３１と上リブ２９との間に隙間３３が形成されている。
【００２１】
冷蔵庫１には、図６、図７に示す棚部材３５が適用される。図２〜図４は、棚部材３５を棚として使用しない不使用状態を示す。これに対して図８〜図１０は、棚部材３５を棚として使用する使用状態を示す。
【００２２】
棚部材３５は、貯蔵物を載せる棚部３７と、使用状態で棚部３７を水平に保持する２本の脚部３９，４１とを備える。棚部３７と脚部３９，４１とは、屈曲部を介して９０度の角度で互いに屈曲形成される第１の部分と第２の部分とを構成している。棚部３７は、図９に示すように、使用状態で水平面となる板状の棚面３７ａを備え、棚面３７ａの周縁には、脚部３９，４１側に屈曲したフランジ３７ｂ，３７ｃ，３７ｄ，３７ｅが形成されている。棚面３７ａと、フランジ３７ｂ，３７ｃ，３７ｄ，３７ｅとの境界部分は、棚面３７ａの表側（図６中で右側、図７中で上側）が凸となるような曲面形状となっている。
【００２３】
脚部３９，４１は、フランジ３７ｃ，３７ｄとフランジ３７ｅとの境界部分から連続するように、棚面３７ａから離れる方向に延出しており、図６中で下側（図７中で左側）が凸となるような曲面形状となっている。一方の脚部３９は、フランジ３７ｃ，３７ｅから連続するように形成され、他方の脚部４１は、フランジ３７ｄ，３７ｅから連続するように形成されている。フランジ３７ｃと脚部３９との間及び、フランジ３７ｄと脚部４１との間には、三角形状の補強部４３，４５が形成されている。
【００２４】
ここで、棚面３７ａの長さＢは、脚部３９，４１の長さＣよりも短い（Ｂ＜Ｃ）。棚面３７ａの長さＢは、図３の不使用状態で示すように、貯蔵室７の底面７ｂと横壁１７ｂの上面との間の上下方向の間隔（縦壁１７ａの上下方向の長さ）よりも短く、棚面３７ａは下リブ３１の下方に位置する。この場合、底面７ｂと下リブ３１との間隔Ｄが、棚面３７ａの長さＢよりも大きい（Ｄ＞Ｂ）。
【００２５】
このため、図２、図３に示すように、棚部材３５は、棚面３７ａを右側壁５ｄの内面にほぼ当接させた状態で、下リブ３１と底面７ｂとの間に配置して、不使用状態とすることができる。このとき、脚部３９，４１は底面７ｂに載置された状態となる。
【００２６】
一方、脚部３９，４１の長さＣは、底面７ｂと下リブ３１との間隔Ｄよりも大きい（Ｃ＞Ｄ）。このため、脚部３９，４１を底面７ｂと下リブ３１との間に配置することはできない。したがって、貯蔵室７内において棚部材３５を不使用状態とする際に、脚部３９，４１を右側壁５ｄの内面にほぼ当接させるような誤配置を抑制できる。なお、図４に示すように、棚部材３５の幅Ｅは、縦壁１７ａと、底面７ｂの前縁との間隔Ｆよりも小さい。
【００２７】
図１１〜図１３は、棚部材３５を図２〜図４のように不使用状態としたときに、貯蔵室７に貯蔵物を収納した状態を示す。横壁１７ｂの上方の後方貯蔵室７Ｒには、例えば３５０ｍＬ入りの缶４７を９本収納できる。一方、底面７ｂの上方の前方貯蔵室７Ｆには、例えば図１１中で左側から２Ｌ入りのペットボトル４９を１本、１Ｌ入りの紙パック５１を１本、５００ｍＬ入りのペットボトル５３を２本、それぞれ収納できる。このとき、図１３に示すように、２本のペットボトル５３の全体及び、紙パック５１の右側の端部は、棚部材３５の脚部３９，４１相互間に位置する。
【００２８】
図８〜図１０に示すように、棚部材３５は、使用状態で棚面３７ａを水平状態とする。このとき、棚面３７ａの上面は、横壁１７ｂの上面とほぼ同一面となる。したがって、脚部３９，４１の長さＣは、底面７ｂと横壁１７ｂの上面との間隔とほぼ等しい。使用状態での棚部材３５は、脚部３９，４１と反対側に位置するフランジ３７ｂを有する端部が、上リブ２９と下リブ３１との間の隙間３３に挿入される。このとき、脚部３９，４１の下端が底面７ｂに当接する。これにより棚部材３５は、棚面３７ａが水平面となる使用状態を確保できる。
【００２９】
使用状態での棚部材３５は、棚面３７ａが３箇所の傾斜面部２７の前方に位置し、複数の傾斜面部２７相互間に形成される突起部５５の前面の上端付近にほぼ当接する。突起部５５の前面は、縦壁１７ａの前面と同一面である。このため、棚面３７ａと傾斜面部２７との間に隙間が形成される。当該隙間は、横壁１７ｂの上方の空間（後方貯蔵室７Ｒ）と、棚面３７ａの下方の空間（前方貯蔵室７Ｆ）とを連通する。
【００３０】
これにより、冷却器１１の後方冷気放出口１１ａから放出される冷気が、上記した隙間を通して棚面３７ａの下方の空間に流れ込む。棚面３７ａの下方の空間と、棚部材３５の左側の空間との間は、脚部３９，４１相互間を通して冷気の流通がなされる。
【００３１】
図１４〜図１６は、棚部材３５を図８〜図１０のように使用状態としたときに、貯蔵室７に貯蔵物を収納した状態を示す。横壁１７ｂの上方の後方貯蔵室７Ｒの左右方向中央より左側のほぼ半分には、例えば３５０ｍＬ入りの缶４７を４本収納できる。横壁１７ｂの上方の後方貯蔵室７Ｒの左右方向中央より右側のほぼ半分及び、棚部材３５の棚面３７ａ上の前方貯蔵室７Ｆに、例えば箱詰めされたお土産５７を収納できる。
【００３２】
底面７ｂ上の前方貯蔵室７Ｆには、例えば図１４中で左側から２Ｌ入りのペットボトル４９を１本、５００ｍＬ入りのペットボトル５３を１本、５００ｍＬ入りの缶５９を２本、それぞれ収納できる。２本の５００ｍＬ入りの缶５９は、棚面３７ａの下方の空間に収納される。
【００３３】
図５に示すように、横壁１７ｂより上方の後壁５ｅと開口部７ａとの間の前後方向の間隔Ｇは、例えば２７０ｍｍで、縦壁１７ａと開口部７ａとの間の前後方向の間隔Ｈは、例えば１２０ｍｍである。したがって、間隔Ｈは間隔Ｇの４５％程度となる。
【００３４】
図５に示すように、底面７ｂから横壁１７ｂの上面までの高さＪは、例えば１９０ｍｍで、横壁１７ｂの上面から間隔Ｈの前後方向ほぼ中央位置の隔壁９までの高さＫは、例えば１４０ｍｍである。したがって、間隔Ｈの前後方向ほぼ中央位置の底面７ｂから隔壁９までの前方貯蔵室７Ｆの高さＪ＋Ｋは、１９０ｍｍ＋１４０ｍｍ＝３３０ｍｍであり、２Ｌ入りのペットボトル４９を収納できる。この場合、高さＪ＋Ｋは間隔Ｇの１．２倍程度となる。
【００３５】
ここで、前方貯蔵室７Ｆは、少なくとも１Ｌの紙パック５１（幅約７０ｍｍ）が収納可能な間隔Ｈを有し、Ｈ＝７０〜１３０ｍｍ程度が望ましい。前方貯蔵室７Ｆは、少なくとも１Ｌの紙パック５１が収納可能な高さＪ＋Ｋ＝２４０ｍｍ以上あればよい。
【００３６】
後方貯蔵室７Ｒは、３５０ｍＬ入りの缶４７（高さ約１２０ｍｍ）を収納可能な高さがあればよい。後方貯蔵室７Ｒの前後方向の奥行は、棚使用時におけるお土産５７や、３５０ｍＬ入りの缶４７の６缶パックの収容性を考慮して、間隔Ｈと同等以上に確保することが望ましい（Ｇ≧２Ｈ）。
【００３７】
冷蔵庫１は、扉３に薄板状のポケット部材６を備えている。薄板状のポケット部材６は、貯蔵室７内に大きく突出することはなく、ポケット４を除く前方貯蔵室７Ｆの空間がポケット４によって狭くなるのを抑制できる。貯蔵室７に大きく突出するような大きなポケットを備えている場合には、前方貯蔵室７Ｆに例えば２Ｌ入りのペットボトル４９を収納しようとすると、扉を閉じたときにポケットがペットボトル４９に干渉してしまう。このような事態を避けるために、間隔Ｈを図５に示すものより大きくする必要があり、冷蔵庫の奥行寸法が大きくなってしまう。
【００３８】
これに対して本実施形態の冷蔵庫１は、扉３に薄板形状の小さなポケット４を備えていることから、前方貯蔵室７Ｆに例えば２Ｌ入りのペットボトル４９を収納する場合に、間隔Ｈを大きなポケットを備えている冷蔵庫よりも小さくできる。その結果、冷蔵庫１は、奥行寸法Ｌを小さくすることができ、薄型化が可能となる。
【００３９】
ホテルや病院など部屋はスペースに限りがあり、特にホテルにおけるベッドの占める空間容積が大きくなるに伴って、他の家具類、例えばデスクの奥行寸法を小さくする傾向にある。このような状況下で、デスクの下に冷蔵庫１を設置する場合には、より薄型化が要求される。本実施形態の冷蔵庫１は、より薄型化が可能であることから、上記した状況に対応できる。
【００４０】
次に、本実施形態の作用効果を説明する。
【００４１】
本実施形態は、冷蔵庫本体５に設けられる貯蔵室７と、貯蔵室７の左右方向の長さの一部に取り外し可能に設けられる棚部材３５と、貯蔵室７の内壁に設けられ、棚部材３５を支持する下リブ３１とを有し、棚部材３５は、屈曲部を介して互いに屈曲形成される棚部３７及び脚部３９，４１を備える。棚部材３５は、棚部３７の端部が下リブ３１に支持された状態で、棚面３７ａに貯蔵物を載置可能かつ、脚部３９，４１の端部が貯蔵室７の底面７ｂに当接可能な第１の姿勢と、第１の姿勢での貯蔵物を載置可能な載置面となる棚面３７ａ及び脚部３９，４１の側面の両方が、貯蔵室７の内壁にそれぞれ当接する第２の姿勢と、のいずれかの姿勢で、貯蔵室７内に設置される。
【００４２】
棚部材３５は、第１の姿勢では、貯蔵室７の左右方向の長さの一部（図８中で右側のほぼ半分の領域）に棚面３７ａが貯蔵物を載置可能に設けられる。このため、棚部材３５を設置していない領域（図８中で左側のほぼ半分の領域））を利用して、図１４〜図１６に示すように、高さの高い例えばペットボトル４９，５３をそれぞれ立てたまま収納することができる。このとき、棚部材３５を棚として利用することにより、お土産５７や５００ｍＬ入りの缶５９等複数の貯蔵物を効率よく収納することができる。
【００４３】
このように、本実施形態は、高さの高い貯蔵物を立てた状態で収納可能としながら、貯蔵空間を有効利用することができる。第２の姿勢では、棚面３７ａが右側壁５ｄの内壁面に当接し、脚部３９，４１がその全長にわたり底面７ｂに載置される状態で当接する。このため、図１１〜図１３に示すように、棚部材３５に大きく影響されることなく、特に高さの高い貯蔵物をより多く収納することができる。
【００４４】
本実施形態は、貯蔵室７の外部の冷蔵庫本体５の後方下部に形成され、圧縮機２１が収容される機械室１９と、機械室１９に対応して貯蔵室７の前方に膨出する冷蔵庫本体５の膨出部１７と、を有する。棚部材３５は、膨出部１７の前方に設置され、第１の姿勢では、膨出部１７の横壁１７ｂの上面の延長上に、棚面３７ａの上面が位置している。この場合、膨出部１７の横壁１７ｂの上面と棚面３７ａの上面とに跨って、例えば図１４〜図１６に示すように、偏平箱形状のお土産５７を収納することができる。
【００４５】
本実施形態は、第１の姿勢での棚部材３５は、膨出部１７の縦壁１７ａの前面に当接した状態で、棚部３７の膨出部１７側の縁部と、膨出部１７との間に冷気流路となる隙間が形成されている。この場合、冷却器１１の後方冷気放出口１１ａから放出される冷気が、後方貯蔵室７Ｒに流入した後、上記した隙間を通って棚部３７の下方の空間に流れ込む。これにより、棚部３７の下方の空間に収納した缶５９等の貯蔵物を効率よく冷却することができる。
【００４６】
上記した隙間は、膨出部１７における縦壁１７ａの前面と横壁１７ｂの上面との間の境界部の角部に形成された傾斜面部２７によって形成される。傾斜面部２７は、膨出部１７の棚部３７に対応する部位のみに設ければよいので、傾斜面部２７を設けることによる貯蔵室７内の意匠性の低下を抑制できる。傾斜面部２７は、角部に対して面取りするように傾斜をつけるだけでよいので、貯蔵室７を形成する冷蔵庫本体５の内箱の成形時に容易に形成できる。
【００４７】
本実施形態の脚部３９，４１は、相互間に間隙を備えている。このため、第１の姿勢での棚部３７の下方の空間と、棚部材３５の左側の空間との間を、脚部３９，４１相互間の間隙を通して冷気が流通可能となる。これにより、棚部３７の下方の空間に収納した缶５９等の貯蔵物を効率よく冷却することができる。
【００４８】
本実施形態の棚部材３５は、棚面３７ａに貫通孔が形成されていてもよい。この場合、後方冷気放出口１１ａから後方貯蔵室７Ｒに流入した冷気が、棚面３７ａに形成した貫通孔を通って棚面３７ａの下方の空間に流れ込む。これにより、棚面３７ａの下方の空間に収納した缶５９等の貯蔵物を効率よく冷却することができる。
【００４９】
本実施形態の棚部材３５は、貯蔵室７の内壁面を構成する内箱よりも熱伝導率の高い部材で構成されている。このため、棚部材３５は冷却板として機能し、棚面３７ａに載せた貯蔵物や、棚面３７ａの下方に収納した貯蔵物を効率よく冷却することができる。
【００５０】
以上、本発明の実施形態について説明したが、これらの実施形態は本発明の理解を容易にするために記載された単なる例示に過ぎず、本発明は当該実施形態に限定されるものではない。本発明の技術的範囲は、上記実施形態で開示した具体的な技術事項に限らず、そこから容易に導きうる様々な変形、変更、代替技術なども含む。
【００５１】
例えば、貯蔵室７に収納する貯蔵物の種類及びレイアウトは、図１１〜図１３や図１４〜図１６に限るものではない。図５に示す間隔Ｇ，Ｈや高さＪ＋Ｋ等の寸法は、前記した数値に限るものではない。
【００５２】
棚部材３５は、使用状態及び不使用状態のいずれにおいても、図２、図８中で左右方向中央に対して左側に配置してもよい。このとき、上リブ２９、下リブ３１や傾斜面部２７は、棚部材３５を配置する位置に対応して図２、図８中で左右方向中央に対して左側に形成する。
【００５３】
棚部材３５は、脚部３９，４１相互を一体化して棚面３７ａと同様な平面部を備える構成としてもよい。この場合、当該平面部に冷気通路となる貫通孔を設けてもよい。すなわち、棚部材３５は、第１の部分と第２の部分との少なくともいずれか一方に貫通孔が形成されている。
【００５４】
脚部３９，４１相互を一体化した上記平面部を、棚面３７ａと同様に棚面として使用できるようにしてもよい。すなわち、棚部材３５は、第１の部分と第２の部分とのいずれか一方の端部が下リブ３１に支持された状態で、該いずれか一方に貯蔵物を載置可能かつ、いずれか他方の端部が貯蔵室７の底面７ｂに当接可能な第１の姿勢を有する。この場合、上リブ２９及び下リブ３１の上下方向位置や、脚部３９，４１を一体化した平面部の長さＣ、棚面３７ａの長さＢを適宜変更する。
【符号の説明】
【００５５】
１  冷蔵庫
５  冷蔵庫本体
７  貯蔵室
７ｂ  貯蔵室の底面
７ｂ１  格子状の溝
１７  膨出部
１７ａ  縦壁
１７ｂ  横壁
１９  機械室
２１  圧縮機
２７  傾斜面部
３１  下リブ（支持部）
３５  棚部材
３７  棚部
３７ａ  棚面
３９，４１  脚部
【図１】
2019143829.tif 000003
【図２】
2019143829.tif 000004
【図３】
2019143829.tif 000005
【図４】
2019143829.tif 000006
【図５】
2019143829.tif 000007
【図６】
2019143829.tif 000008
【図７】
2019143829.tif 000009
【図８】
2019143829.tif 000010
【図９】
2019143829.tif 000011
【図１０】
2019143829.tif 000012
【図１１】
2019143829.tif 000013
【図１２】
2019143829.tif 000014
【図１３】
2019143829.tif 000015
【図１４】
2019143829.tif 000016
【図１５】
2019143829.tif 000017
【図１６】
2019143829.tif 000018